(57)【要約】【課題】緊急撮影等に起因して撮影オーダに登録された放射線撮像装置が選択された場合に、別の放射線撮像装置を自動的に割り当てる。【解決手段】放射線画像撮影システム（１０）は、撮像装置選択処理部（７０ａ、７０ｂ）及び代替候補選択部（６８ａ、６８ｂ）を含む撮影オーダ管理装置（２２ａ、２２ｂ）を有する。撮像装置選択処理部（７０ａ、７０ｂ）は、一方の撮影オーダで予約されていた放射線撮像装置を選択し、選択した放射線撮像装置を他方の撮影オーダによる放射線撮影で使用する放射線撮像装置に決定する。代替候補選択部（６８ａ、６８ｂ）は、一方の撮影オーダについて、選択された放射線撮像装置に対する代替の放射線撮像装置を割り当てる。【選択図】図４
2015046086.tif 000002
【特許請求の範囲】
【請求項１】
撮影オーダに従って放射線撮像装置により放射線を放射線画像に変換する放射線撮影を行う前に、該放射線撮影に使用する放射線撮像装置を予約するための放射線画像撮影システムにおいて、
一方の撮影オーダで予約されていた放射線撮像装置を選択し、選択した前記放射線撮像装置を他方の撮影オーダによる放射線撮影で使用する放射線撮像装置に決定する撮像装置選択処理部と、
前記一方の撮影オーダについて、選択された前記放射線撮像装置に対する代替の放射線撮像装置を割り当てる代替候補選択部と、
を有することを特徴とする放射線画像撮影システム。
【請求項２】
請求項１記載の放射線画像撮影システムにおいて、
前記一方の撮影オーダで一方の放射線撮像装置が予約され、且つ、前記他方の撮影オーダで他方の放射線撮像装置が予約されていた場合に、前記代替候補選択部は、前記他方の撮影オーダのために前記撮像装置選択処理部が前記一方の放射線撮像装置を選択した際に、前記他方の放射線撮像装置を前記一方の撮影オーダに対する代替の放射線撮像装置として割り当てることを特徴とする放射線画像撮影システム。
【請求項３】
請求項１又は２記載の放射線画像撮影システムにおいて、
前記放射線画像撮影システムが有する複数の放射線撮像装置について、代替の放射線撮像装置として割り当てる優先順位が予め設定された優先順位設定テーブルをさらに有し、
前記代替候補選択部は、前記一方の撮影オーダで予約されていた放射線撮像装置が前記撮像装置選択処理部により選択されたときに、前記優先順位設定テーブルに設定された前記優先順位に従って前記代替の放射線撮像装置を選択することを特徴とする放射線画像撮影システム。
【請求項４】
請求項１〜３のいずれか１項に記載の放射線画像撮影システムにおいて、
前記代替候補選択部は、前記放射線画像撮影システムが有する複数の放射線撮像装置の利用状況を監視し、空いている放射線撮像装置を前記代替の放射線撮像装置として選択することを特徴とする放射線画像撮影システム。
【請求項５】
請求項１〜４のいずれか１項に記載の放射線画像撮影システムにおいて、
前記代替の放射線撮像装置の候補が無いと判断した場合、前記代替候補選択部は、前記撮像装置選択処理部により選択した放射線撮像装置を使用した前記他方の撮影オーダによる放射線撮影が完了するまで待機するか、及び／又は、新たな放射線撮像装置が必要であることを前記放射線画像撮影システムに備わる報知部を介して外部に報知することを特徴とする放射線画像撮影システム。
【請求項６】
請求項１〜５のいずれか１項に記載の放射線画像撮影システムにおいて、
前記一方の撮影オーダによる放射線撮影の進行状況に応じて、前記撮像装置選択処理部による放射線撮像装置の選択を禁止する撮像装置選択禁止部をさらに有することを特徴とする放射線画像撮影システム。
【請求項７】
請求項６記載の放射線画像撮影システムにおいて、
前記撮像装置選択禁止部は、前記一方の撮影オーダによる放射線撮影を含む検査の開始が指示されたとき、前記一方の撮影オーダに応じた撮影メニューが前記放射線画像撮影システムに備わる表示部に表示されたとき、又は、前記一方の撮影オーダに適合する他の放射線撮影が行われるときに、前記撮像装置選択処理部による放射線撮像装置の選択を禁止することを特徴とする放射線画像撮影システム。
【請求項８】
請求項１〜７のいずれか１項に記載の放射線画像撮影システムにおいて、
当該放射線画像撮影システムを利用する施設に採用されている管理システムの情報に基づいて、前記撮像装置選択処理部による放射線撮像装置の選択を禁止する撮像装置選択禁止部をさらに有することを特徴とする放射線画像撮影システム。
【請求項９】
撮影オーダに従って放射線撮像装置により放射線を放射線画像に変換する放射線撮影が行われる前に、該放射線撮影に使用する放射線撮像装置を予約する撮影オーダ管理装置において、
一方の撮影オーダで予約されていた放射線撮像装置を選択し、選択した前記放射線撮像装置を他方の撮影オーダによる放射線撮影で使用する放射線撮像装置に決定する撮像装置選択処理部と、
前記一方の撮影オーダについて、選択された前記放射線撮像装置に対する代替の放射線撮像装置を割り当てる代替候補選択部と、
を有することを特徴とする撮影オーダ管理装置。
【請求項１０】
撮影オーダに従って放射線撮像装置により放射線を放射線画像に変換する放射線撮影が行われる前に、該放射線撮影に使用する放射線撮像装置を予約する撮影オーダ管理方法において、
一方の撮影オーダで予約されていた放射線撮像装置を選択し、選択した前記放射線撮像装置を他方の撮影オーダによる放射線撮影で使用する放射線撮像装置に決定するステップと、
前記一方の撮影オーダについて、選択された前記放射線撮像装置に対する代替の放射線撮像装置を割り当てるステップと、
を有することを特徴とする撮影オーダ管理方法。
【発明の詳細な説明】
【技術分野】
【０００１】
本発明は、撮影オーダに従って放射線撮像装置により放射線を放射線画像に変換する放射線撮影が行われる前に、該放射線撮影に使用する放射線撮像装置を予約するための放射線画像撮影システム、撮影オーダ管理装置及び撮影オーダ管理方法に関する。
【背景技術】
【０００２】
病院等の施設において、患者等の被写体に対して放射線撮影を行う場合、当該放射線撮影に使用する放射線撮像装置を撮影オーダに予め登録（予約）した後に、登録後の撮影オーダに従って、被写体に放射線を照射することにより、該被写体を透過した放射線が放射線撮像装置で放射線画像に変換される。
【０００３】
ところで、緊急に放射線撮影（緊急撮影）を行う必要がある場合には、緊急撮影用の撮影オーダを他の撮影オーダに割り込ませて緊急撮影を行う。この場合、他の撮影オーダに予約されていた放射線撮像装置を、緊急撮影用の放射線撮像装置として撮影オーダに登録した後に、当該撮影オーダに従って緊急撮影が行われる。
【０００４】
なお、特許文献１には、病院内の各病室に移動型Ｘ線撮影装置を移動させて放射線撮影を行う場合に、最も効率の良い撮影ルートで移動して撮影を行うことや、緊急で追加の撮影依頼があった場合でも対応可能であることが開示されている。
【先行技術文献】
【特許文献】
【０００５】
【特許文献１】特開２００４−４１６９８号公報
【発明の概要】
【発明が解決しようとする課題】
【０００６】
しかしながら、緊急撮影を割り込ませる仕組みでは、他の放射線撮影で使用予定の放射線撮像装置が緊急撮影に用いられる（放射線撮影像装置が選択される）ので、割り込まれた他の撮影オーダによる放射線撮影は、緊急撮影が終了して当該放射線撮像装置が使用可能になるまで待たされることになる。そのため、例え、他の放射線撮像装置が空いて遊んでいる状態でも、当該他の放射線撮像装置は使用されることがないので、他の撮影オーダの登録から放射線撮影の完了までの一連のワークフローが遅延してしまう。
【０００７】
また、使用予定の放射線撮像装置が緊急撮影に用いられるので、他の撮影オーダを一旦キャンセルし、別の放射線撮像装置を使用するように撮影オーダを再登録することも考えられる。この場合、放射線技師は、別の放射線撮像装置の使用状況を確認した上で、撮影オーダを再登録する必要があるため、当該放射線技師の負担が大きくなると共に、放射線撮像装置の取り違えが発生するおそれもある。従って、撮影オーダを再登録する場合でも、ワークフローが遅延してしまう。
【０００８】
なお、前述した特許文献１の技術は、最も効率の良い撮影ルートで移動して撮影を行うことを目的としており、上記の問題を解決するための対策については、示唆されていない。
【０００９】
本発明は、上記の問題を解決するためになされたもので、緊急撮影等に起因して、撮影オーダに登録された放射線撮像装置が選択された場合に、別の放射線撮像装置を自動的に割り当てることにより、放射線技師の負担軽減と、ワークフローの遅延防止と、放射線撮像装置の取り違え防止とを一挙に実現することができる放射線画像撮影システム、撮影オーダ管理装置及び撮影オーダ管理方法を提供することを目的とする。
【課題を解決するための手段】
【００１０】
本発明は、撮影オーダに従って放射線撮像装置により放射線を放射線画像に変換する放射線撮影が行われる前に、該放射線撮影に使用する放射線撮像装置を予約するための放射線画像撮影システム、撮影オーダ管理装置及び撮影オーダ管理方法に関する。
【００１１】
そして、上記の目的を達成するために、本発明は、下記の特徴を有する。
【００１２】
すなわち、放射線画像撮影システム及び撮影オーダ管理装置は、撮像装置選択処理部と代替候補選択部とを有する。前記撮像装置選択処理部は、一方の撮影オーダで予約されていた放射線撮像装置を選択し、選択した前記放射線撮像装置を他方の撮影オーダによる放射線撮影で使用する放射線撮像装置に決定する。また、前記代替候補選択部は、前記一方の撮影オーダについて、選択された前記放射線撮像装置に対する代替の放射線撮像装置を割り当てる。
【００１３】
一方、本発明に係る撮影オーダ管理方法は、一方の撮影オーダで予約されていた放射線撮像装置を選択し、選択した前記放射線撮像装置を他方の撮影オーダによる放射線撮影で使用する放射線撮像装置に決定するステップと、前記一方の撮影オーダについて、選択された前記放射線撮像装置に対する代替の放射線撮像装置を割り当てるステップとを有する。
【００１４】
本発明によれば、緊急撮影等により放射線撮像装置が選択された場合でも、選択された前記放射線撮像装置に対する代替の放射線撮像装置が自動的且つ直ちに割り当てられる。これにより、放射線技師の負担が軽減され、ワークフローの遅延が防止されると共に、放射線撮像装置の取り違えを防止することができる。
【００１５】
ここで、一方の撮影オーダで一方の放射線撮像装置が予約され、且つ、他方の撮影オーダで他方の放射線撮像装置が予約されていた場合、代替候補選択部は、前記他方の撮影オーダのために撮像装置選択処理部が前記一方の放射線撮像装置を選択した際に、前記他方の放射線撮像装置を前記一方の撮影オーダに対する代替の放射線撮像装置として割り当てればよい。
【００１６】
このようにお互いの放射線撮像装置を入れ替えることにより、放射線技師の負担軽減と、ワークフローの遅延防止と、放射線撮像装置の取り違え防止とを確実に図ることができる。
【００１７】
また、放射線画像撮影システム及び撮影オーダ管理装置は、当該放射線画像撮影システムが有する複数の放射線撮像装置について、代替の放射線撮像装置として割り当てる優先順位が予め設定された優先順位設定テーブルをさらに有してもよい。この場合、代替候補選択部は、一方の撮影オーダで予約されていた放射線撮像装置が撮像装置選択処理部により選択されたときに、前記優先順位設定テーブルに設定された前記優先順位に従って前記代替の放射線撮像装置を選択すればよい。
【００１８】
このように、代替の放射線撮像装置について優先順位を予め設定しておくことで、一方の撮影オーダと他方の撮影オーダとの間で、一方の放射線撮像装置と他方の放射線撮像装置とを入れ替えた場合に、割り当てられた放射線撮像装置が故障等で使用できないという事態を回避することができる。すなわち、割り当てられた放射線撮像装置が故障等で使用できない場合には、上記の優先順位に従って放射線画像撮影システム内の他の放射線撮像装置が自動的に割り当てられる。
【００１９】
なお、優先順位については、撮影オーダ毎に設定されていてもよいし、あるいは、病院等の施設共通のルールとして、撮影オーダに含まれる撮影メニュー等に対応付けて設定されてもよい。
【００２０】
また、代替候補選択部は、放射線画像撮影システムが有する複数の放射線撮像装置の利用状況を監視し、空いている放射線撮像装置を代替の放射線撮像装置として選択してもよい。このように動的に優先順位が決定されることにより、放射線撮像装置が撮像装置選択処理部により選択された時点において最適な放射線撮像装置を自動的に割り当てることが可能となる。
【００２１】
また、代替の放射線撮像装置の候補が無いと判断した場合、代替候補選択部は、撮像装置選択処理部により選択した放射線撮像装置を使用した他方の撮影オーダによる放射線撮影が完了するまで待機するか、及び／又は、新たな放射線撮像装置が必要であることを放射線画像撮影システム及び撮影オーダ管理装置に備わる報知部を介して外部に報知してもよい。
【００２２】
このように、代替の放射線撮像装置を自動的に決めることができない状況において、他方の撮影オーダによる放射線撮影の完了まで待機することにより、不適切な放射線撮像装置が割り当てられることを回避することができる。
【００２３】
また、新たな放射線撮像装置が必要であることを、報知部を介して報知することにより、不適切な放射線撮像装置が割り当てられたり、いつまでも代替の放射線撮像装置が割り当てられず放射線撮影が開始されないという不都合を回避することができる。
【００２４】
また、放射線画像撮影システム及び撮影オーダ管理装置は、一方の撮影オーダによる放射線撮影の進行状況に応じて、撮像装置選択処理部による放射線撮像装置の選択を禁止する撮像装置選択禁止部をさらに有してもよい。これにより、撮像装置選択処理部による選択の発生が好ましくない状況下（例えば、一方の撮影オーダによる放射線撮影の開始後）での当該選択の発生を防止することができる。
【００２５】
この場合、撮像装置選択禁止部は、一方の撮影オーダによる放射線撮影を含む検査の開始が指示されたとき、前記一方の撮影オーダに応じた撮影メニューが放射線画像撮影システム及び撮影オーダ管理装置に備わる表示部に表示されたとき、又は、前記一方の撮影オーダに適合する他の放射線撮影が行われるときに、撮像装置選択処理部による放射線撮像装置の選択を禁止すればよい。
【００２６】
このように、一方の撮影オーダによる放射線撮影の進行状況に応じて、撮像装置選択処理部による選択を禁止すれば、選択によって当該放射線撮影が中断されることを防止することができる。
【００２７】
また、撮像装置選択禁止部は、放射線画像撮影システム及び撮影オーダ管理装置を利用する施設に採用されている管理システムの情報に基づいて、撮像装置選択処理部による放射線撮像装置の選択を禁止してもよい。前記管理システムの情報には、前記放射線撮像装置に関わる情報も含まれているため、撮影オーダ以外の情報を利用しても当該選択を禁止することができる。
【発明の効果】
【００２８】
本発明によれば、緊急撮影等により放射線撮像装置が選択された場合でも、選択された放射線撮像装置に対する代替の放射線撮像装置が自動的且つ直ちに割り当てられる。これにより、放射線技師の負担が軽減され、ワークフローの遅延が防止されると共に、放射線撮像装置の取り違えを防止することができる。
【図面の簡単な説明】
【００２９】
【図１】本実施形態に係る放射線画像撮影システムが適用される病院の放射線科の説明図である。
【図２】本実施形態に係る放射線画像撮影システムのブロック図である。
【図３】図１及び図２の集中コンソールのブロック図である。
【図４】図１及び図２の第１コンソール及び第２コンソールのブロック図である。
【図５】図３及び図４の優先順位設定テーブルに格納されたテーブルの一例を示す説明図である。
【図６】本実施形態に係る放射線画像撮影システムの動作を示すフローチャートである。
【図７】本実施形態に係る放射線画像撮影システムの動作を示すフローチャートである。
【発明を実施するための形態】
【００３０】
本発明に係る放射線画像撮影システム及び撮影オーダ管理装置について、撮影オーダ管理方法との関係において、好適な実施形態を挙げ、添付の図面を参照しながら、以下詳細に説明する。
【００３１】
［放射線画像撮影システム（撮影オーダ管理装置）の構成］
図１に示すように、本実施形態に係る放射線画像撮影システム１０は、例えば、病院（施設）の放射線科１２に適用される。図１では、放射線科１２に２つの処理室１４、１６と、第１撮影室１８ａ及び第２撮影室１８ｂとが設けられている場合を図示している。処理室１４には集中コンソール２０が配置され、処理室１６には、第１撮影室１８ａを制御する第１コンソール（撮影オーダ管理装置）２２ａと、第２撮影室１８ｂを制御する第２コンソール（撮影オーダ管理装置）２２ｂと、読取装置２４とが配置されている。
【００３２】
集中コンソール２０は、図２に示す院内ネットワーク２６を介して、施設内の医療事務処理を管理する医事情報システム（ＨＩＳ）２８と、ＨＩＳ２８の管理下で放射線科１２における放射線画像の撮影処理を管理する放射線科情報システム（ＲＩＳ）３０と、医師による放射線画像の読影診断を行うためのビューア３２と、各種の医療機器で取得された各情報を受信して一元的に管理する医用画像情報システム（ＰＡＣＳ）３３とに接続されている。また、集中コンソール２０は、第１コンソール２２ａ及び第２コンソール２２ｂを集中管理することにより、第１撮影室１８ａ及び第２撮影室１８ｂを間接的に制御する。
【００３３】
第１撮影室１８ａには、第１コンソール２２ａによって制御される放射線源３４ａと、放射線源３４ａから出力されて被写体３６ａを透過した放射線３８ａを放射線画像に変換する第１放射線撮像装置４０ａと、該第１放射線撮像装置４０ａが装填される撮影台４２ａとが配置されている。従って、第１撮影室１８ａでは、ビルトイン式の撮影装置（第１放射線撮像装置４０ａ及び撮影台４２ａ）により被写体３６ａに対する放射線撮影が行われる。なお、第１放射線撮像装置４０ａは、可搬型の放射線撮像装置であってもよい。
【００３４】
第２撮影室１８ｂには、第２コンソール２２ｂによって制御される放射線源３４ｂと、放射線源３４ｂから出力されて被写体３６ｂを透過した放射線３８ｂを放射線画像に変換する第２放射線撮像装置４０ｂとが配置されている。従って、第２撮影室１８ｂでは、可搬型の第２放射線撮像装置４０ｂにより被写体３６ｂに対する放射線撮影が行われる。
【００３５】
読取装置２４は、第３放射線撮像装置４０ｃによって放射線変換パネル４４ｃに記録された放射線画像の情報を読み取る。すなわち、第３放射線撮像装置４０ｃは、放射線変換パネル４４ｃを収容するカセッテであり、読取装置２４に装填されて放射線変換パネル４４ｃが取り出されることにより、放射線変換パネル４４ｃに記録された放射線画像の情報が読み取られる。
【００３６】
具体的に、放射線変換パネル４４ｃは、照射された放射線（放射線３８ａ、３８ｂ）のエネルギを蓄積する蓄積性蛍光体層を支持体上に形成した蓄積性蛍光体パネルである。読取装置２４は、装填された第３放射線撮像装置４０ｃから放射線変換パネル４４ｃを取り出し、励起光を照射して、蓄積されたエネルギに応じた輝尽発光光を出力させることにより放射線画像を読み取る。また、読取装置２４は、放射線画像が読み取られた放射線変換パネル４４ｃに対して、所定光量の消去光を照射し、残存するエネルギを除去することにより、該放射線変換パネル４４ｃを再使用させることができる。
【００３７】
第１放射線撮像装置４０ａ及び第２放射線撮像装置４０ｂは、第３放射線撮像装置４０ｃと同様の蓄積性蛍光体パネルを収容するカセッテであるか、又は、放射線３８ａ、３８ｂを放射線画像に応じた電気信号に変換する電子カセッテである。第１放射線撮像装置４０ａ及び第２放射線撮像装置４０ｂが電子カセッテである場合、取得した放射線画像は、第１コンソール２２ａ及び第２コンソール２２ｂに送信される。
【００３８】
図３は、集中コンソール２０のブロック図であり、図４は、第１コンソール２２ａ及び第２コンソール２２ｂのブロック図である。
【００３９】
集中コンソール２０は、院内ネットワーク２６を介して放射線画像撮影システム１０の各部との間で信号の送受信を行う送受信部４６と、集中コンソール２０内の各部を制御する制御部４８とを有する。また、集中コンソール２０内において、制御部４８には、撮影依頼情報記憶部５０、オーダ情報記憶部５２、入力操作部５４、表示部５６、画像処理部５８、画像記憶部６０、撮像装置情報記憶部６２及び優先順位設定テーブル６４が接続されている。
【００４０】
一方、第１コンソール２２ａ及び第２コンソール２２ｂは、集中コンソール２０と同じ構成要素を有すると共に、互いに同一構成である。すなわち、第１コンソール２２ａ及び第２コンソール２２ｂは、それぞれ、院内ネットワーク２６を介して集中コンソール２０との間で信号の送受信を行う送受信部４６ａ、４６ｂと、第１コンソール２２ａ及び第２コンソール２２ｂ内の各部を制御する制御部４８ａ、４８ｂとを有する。また、第１コンソール２２ａ及び第２コンソール２２ｂ内において、制御部４８ａ、４８ｂには、それぞれ、撮影依頼情報記憶部５０ａ、５０ｂ、オーダ情報記憶部５２ａ、５２ｂ、入力操作部５４ａ、５４ｂ、表示部（報知部）５６ａ、５６ｂ、画像処理部５８ａ、５８ｂ、画像記憶部６０ａ、６０ｂ、撮像装置情報記憶部６２ａ、６２ｂ、優先順位設定テーブル６４ａ、６４ｂ、撮影条件記憶部６６ａ、６６ｂ、横取り検出部６７ａ、６７ｂ、代替候補選択部６８ａ、６８ｂ、横取り選択処理部（撮像装置選択処理部）７０ａ、７０ｂ、横取り選択禁止部（撮像装置選択禁止部）７２ａ、７２ｂ、バーコードリーダ７４ａ、７４ｂ、検査開始ボタン７６ａ、７６ｂ及び照射開始ボタン７８ａ、７８ｂが接続されている。
【００４１】
ＲＩＳ３０（図２参照）において、被写体３６ａ、３６ｂ（図１参照）に対する放射線撮影を医師が依頼する撮影依頼情報（撮影指示情報）が発行された場合、ＲＩＳ３０は、院内ネットワーク２６を介して集中コンソール２０に撮影依頼情報を送信する。集中コンソール２０の送受信部４６が撮影依頼情報を受信すると、制御部４８は、撮影依頼情報を撮影依頼情報記憶部５０に記憶すると共に、ディスプレイ等の表示部５６に表示させる。
【００４２】
なお、撮影依頼情報は、例えば、「比較的広い範囲の胸部撮影」、「手の撮影」のように、医師からの少なくとも１回分の放射線撮影の依頼を、集中コンソール２０に伝えるための情報である。すなわち、撮影依頼情報には、（１）撮影依頼元（診療科）、（２）被写体３６ａ、３６ｂの年齢、性別、体型及びＩＤ番号等の患者情報、（３）被写体３６ａ、３６ｂの撮影部位（例えば、頭部、胸部、腹部）が含まれる。
【００４３】
そのため、放射線技師は、表示部５６に表示された撮影依頼情報を見ながら、キーボードやマウス等の入力操作部５４を操作し、放射線撮影の内容や放射線科１２での撮影スケジュールに応じて、撮影依頼情報をコンソール毎のオーダ（撮影オーダ）に振り分ける。振り分けられた撮影オーダは、オーダ情報記憶部５２に記憶される。
【００４４】
つまり、撮影オーダは、第１撮影室１８ａを制御する第１コンソール２２ａと、第２撮影室１８ｂを制御する第２コンソール２２ｂとに対して、被写体３６ａ、３６ｂに対する放射線撮影を集中コンソール２０から依頼（指示）するための情報である。すなわち、１つの撮影オーダには、前述の（１）撮影依頼元、（２）患者情報、（３）撮影部位に加え、（４）放射線撮影を担当する放射線技師のＩＤ番号等の情報、（５）放射線撮影を行う撮影室の情報（第１撮影室１８ａ、第２撮影室１８ｂ）、（６）被写体３６ａ、３６ｂの撮影方法（例えば、立位撮影、臥位撮影）、（７）放射線撮影に使用する撮影装置の種類（第１〜第３放射線撮像装置４０ａ〜４０ｃ）が含まれる。
【００４５】
また、制御部４８は、第１コンソール２２ａ及び第２コンソール２２ｂにおいて、放射線技師が被写体３６ａ、３６ｂの状況を見ながら撮影条件等を設定できるようにするため、放射線撮影に関わる撮影メニューも作成し、オーダ情報記憶部５２に記憶する。
【００４６】
撮影メニューには、（１）撮影オーダ、（２）被写体３６ａ、３６ｂの撮影部位、及び、該撮影部位に対する放射線３８ａ、３８ｂの照射方向を示す情報である手技、（３）放射線源３４ａ、３４ｂから被写体３６ａ、３６ｂに照射される放射線３８ａ、３８ｂの線量を決定するための撮影条件（放射線源３４ａ、３４ｂの管電圧、ｍＡｓ値（管電流と放射線３８ａ、３８ｂの照射時間との積）、ＳＩＤ（放射線源３４ａ、３４ｂと第１〜第３放射線撮像装置４０ａ〜４０ｃとの間の距離））が含まれる。
【００４７】
なお、以下の説明では、第１コンソール２２ａに対する撮影オーダ及び撮影メニューをそれぞれ第１撮影オーダ及び第１撮影メニューともいい、第２コンソール２２ｂに対する撮影オーダ及び撮影メニューをそれぞれ第２撮影オーダ及び第２撮影メニューともいう。
【００４８】
また、撮影条件のうち、ＳＩＤは、第１〜第３放射線撮像装置４０ａ〜４０ｃ毎に固定される場合が多い。そのため、後述する撮影条件の設定において、放射線技師は、被写体３６ａ、３６ｂの状況に応じて、装置固有のＳＩＤを考慮しつつ、放射線源３４ａ、３４ｂの管電圧及びｍＡｓ値を設定する。なお、ＳＩＤが固定されていない場合、撮影条件の設定では、ＳＩＤも調整可能である。
【００４９】
画像処理部５８は、第１〜第３放射線撮像装置４０ａ〜４０ｃで取得された放射線画像に対して所定の画像処理を施す。第１〜第３放射線撮像装置４０ａ〜４０ｃで取得された放射線画像や、画像処理後の放射線画像は、画像記憶部６０に記憶される。従って、画像記憶部６０に記憶された放射線画像は、表示部５６に表示され、あるいは、送受信部４６から院内ネットワーク２６を介してビューア３２及びＰＡＣＳ３３に送信される。
【００５０】
なお、第１放射線撮像装置４０ａ及び第２放射線撮像装置４０ｂが電子カセッテである場合には、第１放射線撮像装置４０ａ及び第２放射線撮像装置４０ｂから第１コンソール２２ａ及び第２コンソール２２ｂを介して集中コンソール２０に放射線画像が送信される。また、第３放射線撮像装置４０ｃと同様に、第１放射線撮像装置４０ａ及び第２放射線撮像装置４０ｂが蓄積性蛍光体パネルを収容するカセッテであれば、読取装置２４で読み取られた放射線画像が集中コンソール２０に送信される。
【００５１】
撮像装置情報記憶部６２には、第１コンソール２２ａ及び第２コンソール２２ｂにおいて、放射線技師が被写体３６ａ、３６ｂの状況を見ながら撮影条件等を設定した際に、被写体３６ａ、３６ｂに対する放射線撮影に実際に使用する放射線撮像装置として選択された放射線撮像装置の情報等が、撮像装置情報として記憶されている。従って、オーダ情報に登録された放射線撮像装置がそのまま使用される場合には、当該放射線撮像装置の情報等が撮像装置情報として記憶される。一方、後述するように、被写体３６ａ、３６ｂの状況に応じて、オーダ情報に登録された放射線撮像装置とは異なる放射線撮像装置が使用される場合には、実際に使用する放射線撮像装置を含む撮像装置情報が、実績情報として記憶される。
【００５２】
なお、集中コンソール２０と第１コンソール２２ａ及び第２コンソール２２ｂとの間では、院内ネットワーク２６を介して、定期的に又は逐次、撮像装置情報や放射線撮影の進行状況を含む各種の情報がやり取りされる。そのため、撮像装置情報記憶部６２には、第１コンソール２２ａ及び第２コンソール２２ｂの撮像装置情報に加え、被写体３６ａ、３６ｂに対する放射線撮影の進行状況を示す情報も記憶される。また、前述した撮像装置情報は、放射線撮影後に、院内ネットワーク２６を介してＨＩＳ２８、ＲＩＳ３０及びＰＡＣＳ３３に送信してもよい。
【００５３】
優先順位設定テーブル６４には、図５に示す撮影メニュー（第１撮影メニュー、第２撮影メニュー）と、各撮影メニューに応じた放射線撮像装置と、所定の撮影メニューに従って放射線撮影を実行する際に使用する放射線撮像装置の優先順位とが一覧表として格納されている。ここで、優先順位とは、撮影メニューに示す撮影部位に対して放射線撮影を実行する際に、当該放射線撮影に適切な放射線撮像装置の順位を示したものである。なお、図５において、パネルＡは、第１放射線撮像装置４０ａであり、パネルＢは、第２放射線撮像装置４０ｂであり、ＣＲ装置は、第３放射線撮像装置４０ｃである。
【００５４】
また、第１撮影オーダ又は第２撮影オーダに従って放射線撮影が行われる場合、通常、撮影オーダに登録された放射線撮像装置を用いて放射線撮影が行われる。従って、後述するように、集中コンソール２０で当初設定された撮影オーダに登録されている放射線撮像装置を使用できない場合には、図５のテーブルを用いて放射線撮像装置を選択する。
【００５５】
一方、図４に示す第１コンソール２２ａ及び第２コンソール２２ｂも集中コンソール２０（図３参照）と同じ構成要素を有するが、下記の点で異なる。
【００５６】
集中コンソール２０の送受信部４６から院内ネットワーク２６を介して第１コンソール２２ａ及び第２コンソール２２ｂに撮影オーダ及び撮影メニューが送信された場合、送受信部４６ａ、４６ｂが撮影オーダ及び撮影メニューを受信すると、制御部４８ａ、４８ｂは、受信された撮影オーダ及び撮影メニューをオーダ情報記憶部５２ａ、５２ｂに記憶する。
【００５７】
なお、集中コンソール２０が存在しない場合や、集中コンソール２０が故障する場合も考慮して、第１コンソール２２ａ及び第２コンソール２２ｂには、撮影依頼情報記憶部５０ａ、５０ｂが設けられている。撮影依頼情報記憶部５０ａ、５０ｂに記憶される撮影依頼情報は、ＲＩＳ３０から院内ネットワーク２６を介して直接受信してもよいし、あるいは、集中コンソール２０から院内ネットワーク２６を介して受信してもよい。この場合、放射線技師は、表示部５６ａ、５６ｂに表示された撮影依頼情報を見ながら、入力操作部５４ａ、５４ｂを操作して撮影オーダを作成し、制御部４８ａ、４８ｂは、撮影オーダを含む撮影メニューを作成すればよい。
【００５８】
放射線技師が検査開始ボタン７６ａ、７６ｂを押すと、制御部４８ａ、４８ｂは、オーダ情報記憶部５２ａ、５２ｂに記憶された撮影メニューを表示すると共に、送受信部４６ａ、４６ｂから院内ネットワーク２６を介して集中コンソール２０に、検査開始ボタン７６ａ、７６ｂが押されたことを通知する。これにより、被写体３６ａ、３６ｂに対する放射線撮影を含めた検査を開始させることができる。
【００５９】
表示部５６ａ、５６ｂが撮影メニューを表示した場合、放射線技師は、被写体３６ａ、３６ｂの状況を見ながら入力操作部５４ａ、５４ｂを操作して、被写体３６ａ、３６ｂに対する放射線撮影で使用する放射線撮像装置を決定し、当該放射線撮影の撮影条件及び手技を決定する。決定した放射線撮像装置の情報は、撮像装置情報として撮像装置情報記憶部６２ａ、６２ｂに記憶され、決定した撮影条件及び手技は、撮影条件記憶部６６ａ、６６ｂに記憶される。制御部４８ａ、４８ｂは、撮像装置情報記憶部６２ａ、６２ｂに記憶された撮像装置情報を、送受信部４６ａ、４６ｂから院内ネットワーク２６を介して集中コンソール２０に送信する。
【００６０】
ところで、放射線技師が被写体３６ａ、３６ｂの状況を見ながら放射線撮像装置、撮影条件及び手技を決定する際、撮影オーダに登録されている放射線撮像装置で放射線撮影を行うことが困難であると判断した場合、当該放射線技師は、他の放射線撮像装置を選択する。
【００６１】
この場合、放射線技師は、表示部５６ａ、５６ｂに表示された撮影メニューを見ながら入力操作部５４ａ、５４ｂを操作して、撮影オーダに登録されている放射線撮像装置とは異なる他の放射線撮像装置を選択する。これにより、横取り選択処理部７０ａ、７０ｂは、撮影オーダに登録されていた放射線撮像装置に代えて、他の放射線撮像装置を撮影オーダに登録し、オーダ情報記憶部５２ａ、５２ｂに記憶された撮影オーダを更新すると共に、新たに登録された他の放射線撮像装置の情報を新たな撮像装置情報として撮像装置情報記憶部６２ａ、６２ｂに登録する。新たな撮像装置情報及び更新後の撮影オーダは、送受信部４６ａ、４６ｂから院内ネットワーク２６を介して集中コンソール２０に送信される。
【００６２】
例えば、第１コンソール２２ａにおいて、第１撮影オーダに第１放射線撮像装置４０ａが登録されている場合、横取り選択処理部７０ａは、第１放射線撮像装置４０ａに代えて、第２放射線撮像装置４０ｂ又は第３放射線撮像装置４０ｃを新たな放射線撮像装置として第１撮影オーダに登録する。すなわち、第１コンソール２２ａの横取り選択処理部７０ａは、第２撮影オーダに登録されている第２放射線撮像装置４０ｂを選択して、第１撮影オーダに登録するか、又は、各撮影オーダに登録されていない第３放射線撮像装置４０ｃを第１撮影オーダに登録する。
【００６３】
なお、以下の説明において、横取り選択処理部７０ａ、７０ｂにより、当初の撮影オーダに登録されている放射線撮像装置に代えて、他の放射線撮像装置を新たな放射線撮像装置として選択することを、説明の便宜上、「横取り」ともいう。従って、「横取り」は、他の撮影オーダに既に登録されている放射線撮像装置を選択する場合や、各撮影オーダに登録されていない放射線撮像装置を選択する場合を含む概念である。
【００６４】
横取り選択禁止部７２ａ、７２ｂは、所定条件において横取り選択処理部７０ａ、７０ｂによる横取り処理を禁止する。例えば、第１コンソール２２ａの横取り選択処理部７０ａが、第２撮影オーダに登録されている第２放射線撮像装置４０ｂを横取りしようとする場合、第２撮影オーダに従って第２放射線撮像装置４０ｂを使用した放射線撮影が実行されつつあるか、又は、実行されているときには、横取り選択禁止部７２ａは、当該放射線撮影を完遂させるために、横取り選択処理部７０ａの横取り処理を禁止させる。
【００６５】
そして、上記のように放射線撮像装置が横取りされた場合、横取りされたコンソールの横取り検出部６７ａ、６７ｂは、当該放射線撮像装置が横取りされたか否かを、送受信部４６ａ、４６ｂから院内ネットワーク２６を介して集中コンソール２０に問い合わせる。集中コンソール２０の制御部４８は、撮像装置情報記憶部６２に記憶された全ての撮像装置情報を参照し、他のコンソールから当該放射線撮像装置を登録した（横取りした）旨の撮像装置情報が記憶されているか否かを調べて回答する。
【００６６】
当該放射線撮像装置が横取りされた旨の回答が集中コンソール２０から得られた場合、横取り検出部６７ａ、６７ｂは、当該放射線撮像装置が横取りされたことを表示部５６ａ、５６ｂに表示すると共に、代替候補選択部６８ａ、６８ｂに通知し、さらに、送受信部４６ａ、４６ｂから院内ネットワーク２６を介して集中コンソール２０にも通知する。
【００６７】
なお、横取り検出部６７ａ、６７ｂは、放射線技師が検査開始ボタン７６ａ、７６ｂを押したときに、集中コンソール２０に対して上述の問い合わせを行ってもよいし、あるいは、定期的に集中コンソール２０に問い合わせてもよい。
【００６８】
代替候補選択部６８ａ、６８ｂは、横取り検出部６７ａ、６７ｂから通知があった場合、優先順位設定テーブル６４ａ、６４ｂを参照し、撮影オーダ（撮影メニュー）に適合する放射線撮像装置を、優先順位の高い順から選択し、選択した放射線撮像装置を代替装置として撮影オーダに登録する。従って、代替候補選択部６８ａ、６８ｂは、オーダ情報記憶部５２ａ、５２ｂに記憶された撮影オーダを、代替の放射線撮像装置を含む撮影オーダに更新すると共に、代替の放射線撮像装置の情報を新たな撮像装置情報として撮像装置情報記憶部６２ａ、６２ｂに記憶する。新たな撮像装置情報及び更新後の撮影オーダは、送受信部４６ａ、４６ｂから院内ネットワーク２６を介して集中コンソール２０に送信される。
【００６９】
例えば、第１コンソール２２ａの横取り選択処理部７０ａによって第２撮影オーダに登録されていた第２放射線撮像装置４０ｂが横取りされた場合、代替候補選択部６８ｂは、優先順位設定テーブル６４ｂを参照して、第１放射線撮像装置４０ａ又は第３放射線撮像装置４０ｃを選択し、選択した放射線撮像装置を代替装置として第２撮影オーダに登録する。
【００７０】
この場合、当初の第１撮影オーダには第１放射線撮像装置４０ａが登録されていたが、第２放射線撮像装置４０ｂの横取りによって、第１撮影オーダには第２放射線撮像装置４０ｂが新たに登録されている。また、第３放射線撮像装置４０ｃは、どの撮影オーダにも登録されていない。そのため、第１放射線撮像装置４０ａ及び第３放射線撮像装置４０ｃは、空いた状態となる。そこで、代替候補選択部６８ｂは、優先順位設定テーブル６４ｂを参照して、空いている第１放射線撮像装置４０ａ又は第３放射線撮像装置４０ｃを代替装置として選択し、第２撮影オーダに登録する。
【００７１】
なお、代替候補選択部６８ａ、６８ｂは、実際には、図５のテーブルを参照して、撮影メニューに対応する第１位の放射線撮像装置を代替装置として選択し、選択した第１位の放射線撮像装置が使用中か否かを集中コンソール２０に問い合わせる。当該放射線撮像装置が空いているとの回答が集中コンソール２０から得られた場合に、前記放射線撮像装置が代替装置として確定し、撮影オーダに登録される。従って、当該放射線撮像装置が使用中との回答が集中コンソール２０から得られた場合には、代替候補選択部６８ａ、６８ｂは、第２位の放射線撮像装置を選択して、集中コンソール２０に再度問い合わせることになる。
【００７２】
バーコードリーダ７４ａ、７４ｂは、第１〜第３放射線撮像装置４０ａ〜４０ｃが蓄積性蛍光体パネルを収容するカセッテである場合に、当該カセッテの表面に配設されたバーコードの識別情報を読み取る。なお、バーコードには、カセッテの内部に収納されている蓄積性蛍光体パネルを個別に識別するための固有番号、サイズ、感度等の識別情報が記録されている。
【００７３】
撮影条件記憶部６６ａ、６６ｂに撮影条件等が記憶され、被写体３６ａ、３６ｂに対する撮影準備が完了した後に、放射線技師が照射開始ボタン７８ａ、７８ｂを押すと、放射線３８ａ、３８ｂの出力を指示する制御信号と、撮影条件記憶部６６ａ、６６ｂに記憶された撮影条件とが、制御部４８ａ、４８ｂから送受信部４６ａ、４６ｂを介して放射線源３４ａ、３４ｂに送信される。放射線源３４ａ、３４ｂは、受信した制御信号に基づいて、撮影条件に含まれる管電圧及びｍＡｓ値に応じた放射線３８ａ、３８ｂを所定時間出力する。これにより、被写体３６ａ、３６ｂを透過した放射線３８ａ、３８ｂは、第１放射線撮像装置４０ａ及び第２放射線撮像装置４０ｂに到達し、放射線画像に変換される。
【００７４】
［放射線画像撮影システムの動作（撮影オーダ管理方法）］
本実施形態に係る放射線画像撮影システム１０は、以上のように構成されるものである。次に、放射線画像撮影システム１０の動作（撮影オーダ管理方法）について、図６及び図７のフローチャートを参照しながら説明する。以下の説明では、必要に応じて、図１〜図５も参照しながら説明する。
【００７５】
ここでは、一例として、第１撮影室１８ａで被写体３６ａに対する放射線撮影を実行する際、当初の撮影オーダに登録されていた第１放射線撮像装置４０ａに代えて、第２放射線撮像装置４０ｂを横取りし、一方で、第２撮影室１８ｂでの放射線撮影では、横取りされた第２放射線撮像装置４０ｂの代替装置を選択する場合について説明する。
【００７６】
ステップＳ１において、ＲＩＳ３０で撮影依頼情報が発行され、院内ネットワーク２６を介して集中コンソール２０に送信される。集中コンソール２０の送受信部４６が撮影依頼情報を受信すると、制御部４８は、受信した撮影依頼情報を撮影依頼情報記憶部５０に記憶する。この場合、撮影依頼情報には、例えば、（１）比較的広い範囲の胸部に対する放射線撮影、（２）手に対する放射線撮影、を依頼する情報が含まれている。
【００７７】
ステップＳ２において、撮影依頼情報記憶部５０に記憶された撮影依頼情報が表示部５６に表示されると、放射線技師は、表示された撮影依頼情報に基づき、入力操作部５４を操作し、第１撮影室１８ａでの放射線撮影に対する第１撮影オーダと、第２撮影室１８ｂでの放射線撮影に対する第２撮影オーダとを作成する。作成された第１撮影オーダ及び第２撮影オーダは、オーダ情報記憶部５２に記憶される。
【００７８】
この場合、放射線技師は、放射線撮影の内容や放射線科１２の撮影スケジュールに応じて、撮影依頼情報を第１撮影オーダ（胸部の放射線撮影）及び第２撮影オーダ（手の放射線撮影）に振り分けると共に、放射線撮影に応じた放射線撮像装置を第１撮影オーダ及び第２撮影オーダに割り当てる（ステップＳ３）。
【００７９】
ここで、第１撮影室１８ａには、第１放射線撮像装置４０ａが配置され、第２撮影室１８ｂには、第２放射線撮像装置４０ｂが配置されている。そこで、放射線技師は、第１撮影オーダに第１放射線撮像装置４０ａを割り当て、且つ、第２撮影オーダに第２放射線撮像装置４０ｂを割り当てることが適切と判断する。そして、放射線技師は、その判断結果に従って入力操作部５４を操作し、第１撮影オーダに第１放射線撮像装置４０ａを割り当てると共に、第２撮影オーダに第２放射線撮像装置４０ｂを割り当てる。
【００８０】
また、制御部４８は、オーダ情報記憶部５２に登録された第１撮影オーダに基づいて第１撮影メニューを作成すると共に、第２撮影オーダに基づいて第２撮影メニューを作成する。作成された第１撮影メニュー及び第２撮影メニューもオーダ情報記憶部５２に記憶される。
【００８１】
なお、撮影依頼情報に放射線撮像装置が指定されている場合、ステップＳ３の処理は省略される。
【００８２】
ステップＳ４において、制御部４８は、撮影依頼情報記憶部５０に記憶された撮影依頼情報と、オーダ情報記憶部５２に記憶された第１撮影オーダとを、送受信部４６から院内ネットワーク２６を介して第１コンソール２２ａに送信する。第１コンソール２２ａの送受信部４６ａが撮影依頼情報及び第１撮影オーダを受信すると、制御部４８ａは、受信された撮影依頼情報を撮影依頼情報記憶部５０ａに記憶すると共に、第１撮影オーダをオーダ情報記憶部５２ａに記憶する。
【００８３】
また、制御部４８は、前記撮影依頼情報と、オーダ情報記憶部５２に記憶された第２撮影オーダとを、送受信部４６から院内ネットワーク２６を介して第２コンソール２２ｂに送信する。第２コンソール２２ｂの送受信部４６ｂが撮影依頼情報及び第２撮影オーダを受信すると、制御部４８ｂは、受信された撮影依頼情報を撮影依頼情報記憶部５０ｂに記憶すると共に、第２撮影オーダをオーダ情報記憶部５２ｂに記憶する。
【００８４】
これにより、ステップＳ５以降において、放射線技師は、第１コンソール２２ａに割り当てられた第１撮影オーダに従って被写体３６ａに対する放射線撮影を実行し、一方で、第２コンソール２２ｂに割り当てられた第２撮影オーダに従って被写体３６ｂに対する放射線撮影を実行することが可能となる。
【００８５】
すなわち、図６のステップＳ５〜Ｓ１５の処理が、主として、第１コンソール２２ａ及び第１撮影室１８ａ側の処理（被写体３６ａに対する放射線撮影）となり、一方で、図７のステップＳ２１〜Ｓ２８の処理が、主として、第２コンソール２２ｂ及び第２撮影室１８ｂ側の処理（被写体３６ｂに対する放射線撮影）となる。
【００８６】
次に、被写体３６ａに対する放射線撮影について説明する。
【００８７】
図６のステップＳ５において、放射線技師が検査開始ボタン７６ａを押すと、制御部４８ａは、オーダ情報記憶部５２ａに記憶された第１撮影メニューを表示部５６ａに表示させる。これにより、第１撮影メニューによる被写体３６ａに対する放射線撮影を含めた検査が開始される。
【００８８】
放射線技師は、表示部５６ａに表示された第１撮影オーダを含む第１撮影メニューを見て、被写体３６ａの胸部に対する放射線撮影であることを把握し、被写体３６ａである患者を呼び出す。
【００８９】
ここで、当該患者を呼び出したところ、前記患者は、ビルトイン式の撮影装置を構成する撮影台４２ａにまで移動することが困難な状況にあることが分かった。そこで、放射線技師は、ビルトイン式の撮影装置（第１放射線撮像装置４０ａ及び撮影台４２ａ）による放射線撮影が困難であり、可搬型のカセッテを用いた放射線撮影が適切であると判断した（ステップＳ５：ＹＥＳ）。
【００９０】
次のステップＳ６において、放射線技師は、入力操作部５４ａを操作して、撮影メニューから可搬型のカセッテ（第２放射線撮像装置４０ｂ）を選択し、選択した可搬型のカセッテに応じた第１撮影オーダに変更するように指示する。
【００９１】
この場合、撮影メニューに放射線撮像装置のセレクタ機能を具備させ、放射線技師が入力操作部５４ａを操作することにより、所望の放射線撮像装置（第２放射線撮像装置４０ｂ）を選択できればよい。このようなセレクタ機能としては、例えば、横取り選択禁止部７２ａによって、各撮影オーダに登録されていない空き状態の放射線撮像装置（第３放射線撮像装置４０ｃ）のみ選択できるようにしたり、あるいは、横取りが不可能な放射線撮像装置以外の全ての放射線撮像装置を選択できる横取り選択モードであることが好ましい。
【００９２】
次のステップＳ７において、横取り選択処理部７０ａは、放射線技師が入力操作部５４ａを操作して選択した第２放射線撮像装置４０ｂが、横取り可能な状態にあるか否かを、送受信部４６ａから院内ネットワーク２６を介して集中コンソール２０に問い合わせる。
【００９３】
集中コンソール２０と第１コンソール２２ａ及び第２コンソール２２ｂとの間では、集中コンソール２０から第１コンソール２２ａ及び第２コンソール２２ｂに第１撮影オーダ及び第２撮影オーダが送信された後、定期的に又は逐次、第１コンソール２２ａ及び第２コンソール２２ｂから集中コンソール２０に、放射線撮影の進行状況等が通知されている。通知された情報は、撮像装置情報記憶部６２に逐次記憶される。
【００９４】
そのため、集中コンソール２０の制御部４８は、横取り選択処理部７０ａからの問い合わせを送受信部４６が受信すると、撮像装置情報記憶部６２に記憶された情報を参照して第２放射線撮像装置４０ｂの状態（被写体３６ｂに対する放射線撮影の進行状況）を把握し、把握した情報を送受信部４６から院内ネットワーク２６を介して第１コンソール２２ａに送信する。
【００９５】
横取り選択処理部７０ａは、送受信部４６ａで受信された前記情報から、第２放射線撮像装置４０ｂが横取り可能であるか否かを判断する。送受信部４６ａで受信された前記情報が、第２放射線撮像装置４０ｂを用いた被写体３６ｂに対する放射線撮影がまだ行われていない（例えば、検査開始ボタン７６ｂがまだ押されていない、第２撮影メニューが表示部５６ｂに表示されていない、撮影条件が設定されていない、又は、照射開始ボタン７８ｂがまだ押されていない）ことを示す情報であれば、横取り選択処理部７０ａは、第２放射線撮像装置４０ｂを横取り可能であると判断する（ステップＳ７：ＹＥＳ）。
【００９６】
次のステップＳ８において、横取り選択処理部７０ａは、横取りが可能な第２放射線撮像装置４０ｂを新たな放射線撮像装置として第１撮影オーダに登録する。これにより、オーダ情報記憶部５２ａに記憶された第１撮影オーダは、第１放射線撮像装置４０ａの撮影オーダから、第２放射線撮像装置４０ｂの撮影オーダに更新される。また、撮像装置情報記憶部６２ａには、被写体３６ａに対する放射線撮影で新たに使用される第２放射線撮像装置４０ｂの情報が、新たな撮像装置情報として記憶される。更新された第１撮影オーダ及び新たな撮像装置情報は、送受信部４６ａから院内ネットワーク２６を介して集中コンソール２０に送信される。
【００９７】
なお、上記のステップＳ６〜Ｓ８では、放射線技師による第２放射線撮像装置４０ｂの選択に起因して、第１コンソール２２ａから集中コンソール２０に、第２放射線撮像装置４０ｂが横取り可能か否かを問い合わせるものであった。これに代えて、第１コンソール２２ａから集中コンソール２０に対して、定期的に第２放射線撮像装置４０ｂが横取り可能か否かを問い合わせ、その問い合わせ結果をセレクタ機能に自動的に反映させてもよい。これにより、放射線技師が第２放射線撮像装置４０ｂを選択した場合、表示部５６ａは、第２放射線撮像装置４０ｂが横取り可能か否かを速やかに表示することができる。
【００９８】
次のステップＳ９において、表示部５６ａは、更新された第１撮影オーダを含む第１撮影メニューを表示する。これにより、放射線技師は、表示部５６ａの表示内容を確認して、第２放射線撮像装置４０ｂを横取り可能であることを把握し、第２撮影室１８ｂから第２放射線撮像装置４０ｂを借り受ける。
【００９９】
なお、ステップＳ９において、第２放射線撮像装置４０ｂが蓄積性蛍光体パネルを収容するカセッテである場合、バーコードリーダ７４ａは、第２放射線撮像装置４０ｂの表面に配設されたバーコードを読み取り、バーコードに記録された蓄積性蛍光体パネルの固有番号、サイズ、感度等の識別情報を第１撮影オーダに反映する。
【０１００】
そして、ステップＳ１０において、横取りした第２放射線撮像装置４０ｂを用いた被写体３６ａに対する放射線撮影が実行される。
【０１０１】
この場合、放射線技師は、表示部５６ａに表示された撮影メニューを見ながら入力操作部５４ａを操作し、当該放射線撮影の撮影条件を設定する。設定された撮影条件は、撮影条件記憶部６６ａに記憶される。次に、放射線技師は、撮影条件に従って、放射線源３４ａと第２放射線撮像装置４０ｂとの距離をＳＩＤに調整した後に、被写体３６ａを第２放射線撮像装置４０ｂにポジショニングする。
【０１０２】
これらの撮影準備が完了すると、放射線技師は、照射開始ボタン７８ａを押して、被写体３６ａに対する放射線撮影を開始させる。これにより、制御部４８ａは、放射線３８ａの出力を指示する制御信号と、撮影条件記憶部６６ａに記憶された撮影条件とを、送受信部４６ａを介して放射線源３４ａに送信する。放射線源３４ａは、受信した制御信号に基づいて、撮影条件に含まれる管電圧及びｍＡｓ値に応じた放射線３８ａを所定時間出力する。これにより、放射線３８ａが被写体３６ａに照射され、該被写体３６ａを透過した放射線３８ａは、第２放射線撮像装置４０ｂに到達して放射線画像に変換される。
【０１０３】
第２放射線撮像装置４０ｂが電子カセッテであれば、第２放射線撮像装置４０ｂから第１コンソール２２ａに有線又は無線により放射線画像が送信される。
【０１０４】
一方、第２放射線撮像装置４０ｂが蓄積性蛍光体パネルを収容するカセッテであれば、放射線技師が第２放射線撮像装置４０ｂを読取装置２４に装填すると、読取装置２４は、第２放射線撮像装置４０ｂから蓄積性蛍光体パネルを取り出し、該蓄積性蛍光体パネルに励起光を照射して、蓄積性蛍光体パネルに蓄積されたエネルギに応じた輝尽発光光を出力させて、放射線画像の情報を読み取る。読み取られた放射線画像は、読取装置２４から院内ネットワーク２６を介して第１コンソール２２ａに送信される。なお、読取装置２４において、前記蓄積性蛍光体パネルに所定光量の消去光を照射して残存エネルギを除去し、除去後の蓄積性蛍光体パネルを第２放射線撮像装置４０ｂに収容させることにより、第２放射線撮像装置４０ｂを再使用することができる。
【０１０５】
第１コンソール２２ａの送受信部４６ａで受信された放射線画像は、画像記憶部６０ａに一旦記憶され、画像処理部５８ａで所定の画像処理が施された後、表示部５６ａに表示される。画像処理後の放射線画像は、画像記憶部６０ａに記憶されると共に、送受信部４６ａから院内ネットワーク２６を介してビューア３２及びＰＡＣＳ３３に送信される。
【０１０６】
放射線撮影後のステップＳ１１において、横取り選択処理部７０ａは、横取りした第２放射線撮像装置４０ｂを第２撮影室１８ｂに戻すべきか否かを判断する。この場合、横取り選択処理部７０ａは、ステップＳ７の場合と同様に、送受信部４６ａ及び院内ネットワーク２６を介して集中コンソール２０に、第２撮影室１８ｂの状況（第２撮影オーダの内容）を問い合わせればよい。そして、第２放射線撮像装置４０ｂを第２撮影室１８ｂに戻すべき旨の回答が得られた場合（ステップＳ１１：ＹＥＳ）、横取り選択処理部７０ａは、第２放射線撮像装置４０ｂを第２撮影室１８ｂに戻すべき旨の指示を表示部５６ａに表示させる。放射線技師は、表示部５６ａの表示内容を確認した後に、第２放射線撮像装置４０ｂを第２撮影室１８ｂに戻す（ステップＳ１２）。
【０１０７】
一方、第２放射線撮像装置４０ｂを第２撮影室１８ｂに戻す必要がない旨の回答が得られた場合（ステップＳ１１：ＮＯ）、横取り選択処理部７０ａは、例えば、第２放射線撮像装置４０ｂを引き続き使用してもよい旨の指示を表示部５６ａに表示させる。放射線技師は、表示部５６ａの表示内容を確認し、引き続き第２放射線撮像装置４０ｂを使用する（ステップＳ１３）。
【０１０８】
第２放射線撮像装置４０ｂを第２撮影室１８ｂに戻すべき旨の集中コンソール２０の回答としては、例えば、第２撮影室１８ｂで被写体３６ｂに対する放射線撮影がこれから実行されるので、第２放射線撮像装置４０ｂが必要になる旨の回答がある。
【０１０９】
なお、図６のステップＳ５において、第２放射線撮像装置４０ｂ等を横取りする必要がない場合（ステップＳ５：ＮＯ）、当初の第１撮影オーダの内容で良いため、第１コンソール２２ａ及び第１撮影室１８ａでは、ステップＳ１０において、当初の第１撮影オーダに従った撮影条件の設定と、当該撮影条件に従った被写体３６ａに対する放射線撮影が実行される。
【０１１０】
また、ステップＳ７において、第２放射線撮像装置４０ｂを横取りすることができない場合、例えば、検査開始ボタン７６ｂが押されて、第２放射線撮像装置４０ｂを用いた被写体３６ｂに対する放射線撮影を含む検査が開始された場合（ステップＳ７：ＮＯ）、横取り選択処理部７０ａは、次のステップＳ１４において、横取り可能な他の放射線撮像装置（第３放射線撮像装置４０ｃ）が存在するか否かを、送受信部４６ａから院内ネットワーク２６を介して集中コンソール２０に問い合わせる。
【０１１１】
この場合、横取り選択処理部７０ａは、ステップＳ７の場合と同様に、例えば、第３放射線撮像装置４０ｃを横取り可能であるか否かを集中コンソール２０に問い合わせればよい。第３放射線撮像装置４０ｃを横取り可能である旨の回答が集中コンソール２０から得られた場合（ステップＳ１４：ＹＥＳ）、横取り選択処理部７０ａは、ステップＳ８以降の処理を行い、第３放射線撮像装置４０ｃを横取りすればよい。
【０１１２】
一方、第３放射線撮像装置４０ｃを横取りすることができない旨の回答が集中コンソール２０から得られた場合（ステップＳ１４：ＮＯ）、横取り選択処理部７０ａは、他の放射線撮像装置の横取りを諦め、第１放射線撮像装置４０ａを用いた被写体３６ａに対する放射線撮影を実行する（ステップＳ１０）。あるいは、上記の回答が得られた場合、横取り選択処理部７０ａは、第２放射線撮像装置４０ｂ又は第３放射線撮像装置４０ｃが横取り可能となるまでステップＳ１４の判定処理を繰り返し行ってもよい。
【０１１３】
あるいは、ステップＳ１５のように、横取り選択処理部７０ａは、第２放射線撮像装置４０ｂ及び第３放射線撮像装置４０ｃの横取りを諦め、新たな放射線撮像装置を用いて被写体３６ａに対する放射線撮影を行うことを指示する表示内容を表示部５６ａに表示させてもよい。この場合、放射線技師は、表示部５６ａの表示内容を確認して、第１〜第３放射線撮像装置４０ａ〜４０ｃ以外の新たな放射線撮像装置を第１撮影室１８ａに持ち込めばよい。
【０１１４】
次に、被写体３６ｂに対する放射線撮影について説明する。
【０１１５】
ステップＳ４後の図７のステップＳ２１において、横取り検出部６７ｂは、オーダ情報記憶部５２ｂに記憶された第２撮影オーダに登録されている第２放射線撮像装置４０ｂが横取りされたか否かを、送受信部４６ｂから院内ネットワーク２６を介して集中コンソール２０に問い合わせる。
【０１１６】
前述のように、集中コンソール２０と第１コンソール２２ａ及び第２コンソール２２ｂとの間では、定期的に又は逐次、第１コンソール２２ａ及び第２コンソール２２ｂから集中コンソール２０に、放射線撮影の進行状況等が通知され、通知された情報は、撮像装置情報記憶部６２に逐次記憶されている。そのため、集中コンソール２０の制御部４８は、横取り検出部６７ｂからの問い合わせを送受信部４６が受信すると、撮像装置情報記憶部６２に記憶された情報を参照して第２放射線撮像装置４０ｂの横取りの発生の有無を把握し、把握した情報を送受信部４６から院内ネットワーク２６を介して第２コンソール２２ｂに送信する。
【０１１７】
横取り検出部６７ｂは、送受信部４６ｂで受信された前記情報から第２放射線撮像装置４０ｂが第１撮影オーダに横取りされたことを確認した場合（ステップＳ２１：ＹＥＳ）、確認結果を表示部５６ｂに表示させる。これにより、放射線技師は、第２撮影オーダに登録されている第２放射線撮像装置４０ｂが第１撮影オーダに横取りされたことを把握することができる。また、横取り検出部６７ｂは、代替候補選択部６８ｂに前記確認結果を通知すると共に、送受信部４６ｂから院内ネットワーク２６を介して集中コンソール２０に前記確認結果を通知する。
【０１１８】
次のステップＳ２２において、代替候補選択部６８ｂは、横取り検出部６７ｂからの通知に基づいて、優先順位設定テーブル６４ｂを参照し、横取りされた第２放射線撮像装置４０ｂに対する代替の放射線撮像装置（第３放射線撮像装置４０ｃ）を選出する。この場合、代替候補選択部６８ｂは、優先順位設定テーブル６４ｂ中、第２撮影メニューの示す手の放射線撮影に使用可能な放射線撮像装置のうち、横取りされた第２放射線撮像装置４０ｂと、ビルトイン式の第１放射線撮像装置４０ａとを除いて、優先順位の高い放射線撮像装置を選出する。この場合、放射線画像撮影システム１０は、第１〜第３放射線撮像装置４０ａ〜４０ｃのみ有するので、代替候補選択部６８ｂは、第３放射線撮像装置４０ｃを選出する。
【０１１９】
次のステップＳ２３において、代替候補選択部６８ｂは、代替装置として第３放射線撮像装置４０ｃを選出したので、第２放射線撮像装置４０ｂが横取りされたことを了承する旨の横取り了承情報を、送受信部４６ｂから院内ネットワーク２６を介して集中コンソール２０に送信する。集中コンソール２０の制御部４８は、送受信部４６が横取り了承情報を受信すると、受信した横取り了承情報を撮像装置情報記憶部６２に記憶する。
【０１２０】
次のステップＳ２４において、代替候補選択部６８ｂは、選出した第３放射線撮像装置４０ｃが代替装置として使用可能か否かを、送受信部４６ｂから院内ネットワーク２６を介して集中コンソール２０に問い合わせる。この場合、ステップＳ７、Ｓ２１の場合と同様に、集中コンソール２０の制御部４８は、代替候補選択部６８ｂからの問い合わせを送受信部４６が受信すると、撮像装置情報記憶部６２に記憶された情報を参照して、第３放射線撮像装置４０ｃが使用中であるか否かを把握し、把握した情報を送受信部４６から院内ネットワーク２６を介して第２コンソール２２ｂに送信する。
【０１２１】
代替候補選択部６８ｂは、送受信部４６ｂで受信された前記情報から第３放射線撮像装置４０ｃが使用可能であることを確認した場合（ステップＳ２４：ＹＥＳ）、次のステップＳ２５において、オーダ情報記憶部５２ｂに記憶された第２撮影オーダ及び第２撮影メニューを第３放射線撮像装置４０ｃに応じた内容に更新する。
【０１２２】
そして、放射線技師が検査開始ボタン７６ｂを押すと、制御部４８ｂは、第３放射線撮像装置４０ｃを使用する旨を含む新たな第２撮影メニューを表示部５６ｂに表示させる。これにより、放射線技師は、第３放射線撮像装置４０ｃが代替装置であり、当該第３放射線撮像装置４０ｃを用いて被写体３６ｂに対する放射線撮影を実行すべきことを把握することができる。また、第２撮影メニューが表示部５６ｂに表示されることにより、被写体３６ｂに対する放射線撮影を含む検査を開始させることができる。
【０１２３】
次のステップＳ２６において、代替候補選択部６８ｂは、送受信部４６ｂ及び院内ネットワーク２６を介して集中コンソール２０に、第３放射線撮像装置４０ｃを代替装置として使用することを通知する。集中コンソール２０の制御部４８は、送受信部４６が通知内容を受信すると、撮像装置情報記憶部６２に記憶する。なお、代替候補選択部６８ｂは、送受信部４６ｂ及び院内ネットワーク２６を介して第１コンソール２２ａに前記通知内容を直接通知してもよい。
【０１２４】
次のステップＳ２７において、第２コンソール２２ｂ及び第２撮影室１８ｂでは、第３放射線撮像装置４０ｃを使用して被写体３６ｂに対する放射線撮影が実行される。なお、当該放射線撮影は、被写体及び放射線撮像装置が異なる点以外は、ステップＳ１０での第２放射線撮像装置４０ｂを用いた被写体３６ａに対する放射線撮影と同様であるため、その詳細な説明については省略する。
【０１２５】
なお、ステップＳ２１において、第２放射線撮像装置４０ｂが横取りされていない場合には（ステップＳ２１：ＮＯ）、ステップＳ２７において、第２放射線撮像装置４０ｂを用いた被写体３６ｂに対する放射線撮影が実行される。
【０１２６】
また、ステップＳ２４において、選出した第３放射線撮像装置４０ｃが使用できない場合には（ステップＳ２４：ＮＯ）、次のステップＳ２８において、代替候補選択部６８ｂは、横取りされた第２放射線撮像装置４０ｂが使用可能な状態となったか、又は、他の放射線撮像装置を使用可能であるか否かを、送受信部４６ｂから院内ネットワーク２６を介して集中コンソール２０に問い合わせる。集中コンソール２０の制御部４８は、送受信部４６が問い合わせ内容を受信すると、撮像装置情報記憶部６２に記憶された情報を参照して、横取りされた第２放射線撮像装置４０ｂが使用可能であるか否か、又は、他の放射線撮像装置を使用可能であるか否かを確認し、確認結果を送受信部４６から院内ネットワーク２６を介して第２コンソール２２ｂに送信する。
【０１２７】
送受信部４６ｂで受信された確認結果が第２放射線撮像装置４０ｂを使用可能である旨の結果であれば（ステップＳ２８：ＹＥＳ）、次のステップＳ２７において、放射線技師は、当初の第２撮影オーダに従って、第２放射線撮像装置４０ｂを用いた被写体３６ｂに対する放射線撮影を実行する。また、送受信部４６ｂで受信された確認結果が他の放射線撮像装置を使用可能である旨の結果であれば（ステップＳ２８：ＹＥＳ）、ステップＳ２５の処理が実行され、第２撮影オーダが他の放射線撮像装置に応じた内容に更新される。
【０１２８】
一方、送受信部４６ｂで受信された確認結果が第２放射線撮像装置４０ｂ及び他の放射線撮像装置のいずれも使用できない旨の結果であれば（ステップＳ２８：ＮＯ）、代替候補選択部６８ｂは、使用可能な放射線撮像装置が見つかるまで、ステップＳ２８の処理を繰り返し実行する。
【０１２９】
［本実施形態の効果］
以上説明したように、本実施形態によれば、緊急撮影等により放射線撮像装置（例えば、第２放射線撮像装置２０ｂ）が横取りされた場合でも、横取りされた放射線撮像装置に対する代替の放射線撮像装置（例えば、第３放射線撮像装置４０ｃ）が自動的且つ直ちに割り当てられる。これにより、放射線技師の負担が軽減され、ワークフローの遅延が防止されると共に、放射線撮像装置の取り違えを防止することができる。
【０１３０】
そのため、本実施形態では、一方の撮影オーダで一方の放射線撮像装置が予約され、且つ、他方の撮影オーダで他方の放射線撮像装置が予約されていた場合、代替候補選択部６８ａ、６８ｂは、他方の撮影オーダのために横取り選択処理部７０ａ、７０ｂが一方の放射線撮像装置を横取りした際に、他方の放射線撮像装置を一方の撮影オーダに対する代替の放射線撮像装置として割り当てる。
【０１３１】
具体的に、第１撮影オーダで第１放射線撮像装置４０ａが予約され、且つ、第２撮影オーダで第２放射線撮像装置４０ｂが予約されていた場合、代替候補選択部６８ｂは、横取り選択処理部７０ａが第２放射線撮像装置４０ｂを横取りした際に、第１放射線撮像装置４０ａを第２撮影オーダに対する代替の放射線撮像装置として割り当てる。
【０１３２】
このようにお互いの放射線撮像装置を入れ替えることにより、放射線技師の負担軽減と、ワークフローの遅延防止と、放射線撮像装置の取り違え防止とを確実に図ることができる。なお、前述のように、第１放射線撮像装置４０ａは、ビルトイン式の放射線撮像装置であるため、上述の放射線撮像装置の入れ替えは、第１放射線撮像装置４０ａ及び第２放射線撮像装置４０ｂがいずれも可搬型の放射線撮像装置である場合に可能である。
【０１３３】
また、集中コンソール２０、第１コンソール２２ａ及び第２コンソール２２ｂには、代替の放射線撮像装置として割り当てる優先順位が予め設定された優先順位設定テーブル６４、６４ａ、６４ｂを有し、代替候補選択部６８ａ、６８ｂは、放射線撮像装置が横取りされたときに、優先順位設定テーブル６４ａ、６４ｂに設定された優先順位に従って代替の放射線撮像装置を選択する。
【０１３４】
このように、代替の放射線撮像装置について優先順位を予め設定しておくことで、一方の撮影オーダと他方の撮影オーダとの間で、一方の放射線撮像装置と他方の放射線撮像装置とを入れ替えた場合に、割り当てられた放射線撮像装置が故障等で使用できないという事態を回避することができる。すなわち、割り当てられた放射線撮像装置が故障等で使用できない場合には、上記の優先順位に従って放射線画像撮影システム１０内の他の放射線撮像装置が自動的に割り当てることができる。
【０１３５】
なお、図５に示すように、優先順位については、撮影オーダ（撮影メニュー）毎に設定されていてもよいし、あるいは、病院（の放射線科１２）等の施設共通のルールとして、撮影メニュー等に対応付けて設定されてもよい。
【０１３６】
また、上記のように、代替候補選択部６８ａ、６８ｂは、予め設定された優先順位設定テーブル６４ａ、６４ｂを参照して、代替の放射線撮像装置を選択する。この選択方法に代えて、又は、この選択方法に加え、代替候補選択部６８ａ、６８ｂは、第１〜第３放射線撮像装置４０ａ〜４０ｃの利用状況を監視し、空いている放射線撮像装置を代替の放射線撮像装置として選択してもよい。このように動的に優先順位を決定することができれば、放射線撮像装置が横取りされた時点での最適な放射線撮像装置を自動的且つ速やかに割り当てることが可能となる。
【０１３７】
また、代替の放射線撮像装置の候補が無いと判断した場合、代替候補選択部６８ａ、６８ｂは、図７のステップＳ２８の処理のように、横取りした放射線撮像装置を使用している撮影オーダによる放射線撮影が完了するまで待機してもよい。これにより、代替の放射線撮像装置を自動的に決めることができない状況において、当該撮影オーダによる放射線撮影の完了まで待機することにより、不適切な放射線撮像装置が割り当てられることを回避することができる。
【０１３８】
さらに、代替の放射線撮像装置の候補が無いと判断した場合、代替候補選択部６８ａ、６８ｂは、図７のステップＳ２８の処理のように、新たな放射線撮像装置が必要であることを表示部５６ａ、５６ｂに表示してもよい。このように、新たな放射線撮像装置が必要であることを表示部５６ａ、５６ｂに表示することにより、不適切な放射線撮像装置が割り当てられたり、いつまでも代替の放射線撮像装置が割り当てられず放射線撮影が開始されないという不都合を回避することができる。
【０１３９】
また、撮影オーダによる放射線撮影の進行状況に応じて、横取り選択処理部７０ａ、７０ｂによる放射線撮像装置の横取りを横取り選択禁止部７２ａ、７２ｂで禁止することにより、横取りの発生が好ましくない状況下（例えば、放射線撮影の開始後）での横取りの発生を防止することができる。
【０１４０】
この場合、横取り選択禁止部７２ａ、７２ｂは、（１）横取り対象の放射線撮像装置が登録された撮影オーダによる放射線撮影を含む検査の開始が指示されたとき、（２）当該撮影オーダに応じた撮影メニューが表示部５６ａ、５６ｂに表示されたとき、（３）当該撮影オーダに適合する他の放射線撮影が行われるときに、横取り選択処理部７０ａ、７０ｂによる放射線撮像装置の横取りを禁止してもよい。
【０１４１】
このように、当該撮影オーダによる放射線撮影の進行状況、すなわち、ワークフロー上での位置に応じて、横取りを禁止すれば、横取りによって当該放射線撮影が中断されることを防止することができる。また、多数の横取りの要求が発生して、放射線撮像装置の取り合いがいつまでも続く状況を解消することができる。
【０１４２】
上記の（１）又は（２）の場合としては、例えば、放射線技師が検査開始ボタン７６ａ、７６ｂを押して、放射線撮影を含む検査の開始が指示された場合や、撮影メニューが表示部５６ａ、５６ｂに表示された場合や、撮影オーダに従って被写体３６ａ、３６ｂに対する撮影準備（撮影条件の設定や被写体３６ａ、３６ｂのポジショニング）を行っている最中である場合や、放射線技師が照射開始ボタン７８ａ、７８ｂを押すことにより被写体３６ａ、３６ｂに対する放射線３８ａ、３８ｂの照射が開始された場合がある。これらの場合には、放射線撮影を完遂させるために、放射線撮像装置の横取りを禁止する。
【０１４３】
そのため、表示部５６ａ、５６ｂに撮影メニューを表示し、当該撮影メニューに従って放射線撮影に関わる処理が順次行われる状態においては、緊急撮影や外来患者に対する撮影を急遽行う必要があっても、前記撮影オーダに従った被写体３６ａ、３６ｂに対する放射線撮影を優先させる。
【０１４４】
また、上記の（３）の場合としては、被写体３６ａ、３６ｂが来れば直ちに放射線撮影が行える場合が想定される。この場合、被写体３６ａ、３６ｂがいなければ、放射線撮影が行われないため、そのような場合には、緊急撮影や外来患者に対する撮影の割り込みを許可してもよい。
【０１４５】
なお、上記の説明では、横取り選択禁止部７２ａ、７２ｂは、撮影オーダに基づいて、横取り選択処理部７０ａ、７０ｂによる放射線撮像装置の横取りを禁止しているが、この機能に代えて、又は、この機能に加えて、ＲＩＳ３０の情報（例えば、放射線技師の勤務管理情報）に基づいて、横取り選択処理部７０ａ、７０ｂによる放射線撮像装置の横取りを禁止してもよい。ＲＩＳ３０の情報には、第１〜第３放射線撮像装置４０ａ〜４０ｃに関わる情報も含まれているため、撮影オーダ以外の情報を利用して横取りを禁止することができる。
【０１４６】
例えば、特定の放射線撮像装置を使用している放射線技師が放射線科１２にいない日には、当該放射線撮像装置が空いた状態となるため、この放射線撮像装置を代替装置として使用することが可能となる。
【０１４７】
また、上記の説明では、撮影オーダとの関係で放射線撮像装置を横取りする場合、すなわち、撮影オーダと放射線撮像装置とを紐付けして横取りする場合について説明した。撮影オーダには、放射線技師の情報、第１撮影室１８ａ及び第２撮影室１８ｂの情報、診療科の情報が含まれている。従って、本実施形態では、放射線技師と放射線撮像装置とを紐付けする場合、第１撮影室１８ａ及び第２撮影室１８ｂと放射線撮像装置とを紐付けする場合、又は、診療科と放射線撮像装置とを紐付けする場合に、紐付けしている情報に基づいて、放射線撮像装置を横取りし、あるいは、横取りを禁止してもよい。
【０１４８】
さらに、上記の説明では、集中コンソール２０がサーバとなって、第１コンソール２２ａ及び第２コンソール２２ｂを管理し、横取り可能であるか否か等の問い合わせを、第１コンソール２２ａ及び第２コンソール２２ｂから集中コンソール２０に行う場合について説明した。本実施形態では、集中コンソール２０、第１コンソール２２ａ及び第２コンソール２２ｂが同じ情報を共有してもよい。
【０１４９】
さらにまた、上記の説明では、放射線撮像装置が蓄積性蛍光体パネルである場合には、バーコードリーダ７４ａ、７４ｂでカセッテのバーコードを読み取る場合について説明した。本実施形態では、集中コンソール２０にバーコードリーダを設けてバーコードを読み取ってもよい。あるいは、読取装置２４にバーコードリーダを設けて、当該カセッテを装填したときに自動的にバーコードを読み取り、撮影オーダに自動的に登録してもよい。さらに、使用する蓄積性蛍光体パネル及びカセッテが予め分かっている場合には、当該カセッテ及び読取装置２４の情報を撮影オーダの発行当初から含めてもよい。
【０１５０】
また、上記の説明では、１回分の放射線撮影に対して放射線撮像装置を横取りする場合について説明した。本実施形態では、下記のような態様も可能である。
【０１５１】
例えば、複数回の放射線撮影が予定されている場合に、他の撮影オーダから放射線撮像装置を横取りしたときには、１回分の放射線撮影についてのみ当該放射線撮像装置を横取りして放射線撮影を行ってもよいし、全ての放射線撮影について当該放射線撮像装置を横取りして放射線撮影を行ってもよい。この場合、横取りした撮影オーダによる放射線撮影が完了すれば、放射線撮像装置を元の撮影オーダに戻してもよいし、又は、横取りした放射線撮像装置をそのまま持っていてもよい。
【０１５２】
一方、横取りされた撮影オーダについても、複数回の放射線撮影が予定されている場合には、少なくとも１回分の放射線撮影は、代替の放射線撮像装置を用いて行い、残りの回数分の放射線撮影は、横取りされた後に戻ってきた放射線撮像装置を用いて行ってもよい。あるいは、代替の放射線撮像装置を用いて、全ての放射線撮影を行ってもよい。
【０１５３】
さらに、放射線撮影を行う時間帯（撮影を予約した時間）や、放射線撮影の順番に基づいて、放射線撮像装置を横取りしたり、代替の放射線撮像装置を用意することも可能である。
【０１５４】
例えば、他の撮影オーダによる放射線撮影において、放射線撮像装置を使用しない時間帯があれば、当該時間帯に放射線撮像装置を横取りして放射線撮影を行い、放射線撮影の終了後に放射線撮像装置を他の撮影オーダに戻してもよい。これにより、放射線撮影を効率よく行うことができる。なお、横取りして放射線撮影を行っている最中に、横取りされた他の撮影オーダにより放射線撮影を行いたい場合、該他の撮影オーダでは、代替の放射線撮像装置により放射線撮影を行い、本来の放射線撮像装置が戻ってくれば、当該放射線撮像装置を用いて放射線撮影を実行すればよい。
【０１５５】
さらにまた、本実施形態では、集中コンソール２０、第１コンソール２２ａ及び第２コンソール２２ｂが優先順位設定テーブル６４、６４ａ、６４ｂをそれぞれ有する場合について説明した。本実施形態では、いずれか１つのコンソールに優先順位設定テーブルを設けて集中管理し、代替候補選択部６８ａ、６８ｂは、代替の放射線撮像装置を選択する際に、当該優先順位設定テーブルを参照することも可能である。
【０１５６】
また、図５のテーブルでの優先順位についても、医師又は放射線技師が撮影メニュー毎に予め設定しておいてもよいし、集中コンソール２０、第１コンソール２２ａ及び第２コンソール２２ｂで自動的に設定してもよい。自動的に設定する場合には、撮影メニュー以外の情報を条件として組み合わせてもよい。例えば、患者のＩＤ番号及び撮影メニューを図５のテーブルの条件として加えてもよいし、過去に使用した放射線撮像装置を優先的に選択する（優先順位を高くする）ように設定してもよい。
【０１５７】
なお、この発明は、上述した実施形態に限定されるものではなく、この発明の主旨を逸脱しない範囲で自由に変更できることは勿論である。
【符号の説明】
【０１５８】
１０…放射線画像撮影システム              １８ａ…第１撮影室
１８ｂ…第２撮影室                        ２０…集中コンソール
２２ａ…第１コンソール                    ２２ｂ…第２コンソール
３０…ＲＩＳ                              ３４ａ、３４ｂ…放射線源
３６ａ、３６ｂ…被写体                    ３８ａ、３８ｂ…放射線
４０ａ…第１放射線撮像装置                ４０ｂ…第２放射線撮像装置
４２ａ…撮影台                            ４４ｃ…放射線変換パネル
４６、４６ａ、４６ｂ…送受信部            ４８、４８ａ、４８ｂ…制御部
５０、５０ａ、５０ｂ…撮影依頼情報記憶部  ５２、５２ａ、５２ｂ…オーダ情報記憶部
５４、５４ａ、５４ｂ…入力操作部          ５６、５６ａ、５６ｂ…表示部
６２、６２ａ、６２ｂ…撮像装置情報記憶部
６４、６４ａ、６４ｂ…優先順位設定テーブル
６６ａ、６６ｂ…撮影条件記憶部            ６７ａ、６７ｂ…横取り検出部
６８ａ、６８ｂ…代替候補選択部            ７０ａ、７０ｂ…横取り選択処理部
７２ａ、７２ｂ…横取り選択禁止部          ７４ａ、７４ｂ…バーコードリーダ
７６ａ、７６ｂ…検査開始ボタン            ７８ａ、７８ｂ…照射開始ボタン
【図１】
2015046086.tif 000003
【図２】
2015046086.tif 000004
【図３】
2015046086.tif 000005
【図４】
2015046086.tif 000006
【図５】
2015046086.tif 000007
【図６】
2015046086.tif 000008
【図７】
2015046086.tif 000009